(57)【要約】【課題】使用者の身体の大きさや機能上の特徴に合わせて、手摺りの高さや間隔を調整可能にして使い勝手を向上させるとともに、どのようなトイレにも設置することのできる、安全性と信頼性の高いトイレ用手摺りを提供する。【解決手段】便器２側方の床面に載置される左右一対の脚部１２と、各脚部１２に立設されて便器２の後方両側に配置される左右一対の支柱１３と、両支柱１３間を水平方向に連結する連結部１４とからなるフレームを備える。各支柱１３には前方に延びる手摺り部１６を取り付け、連結部１４にはＬ字型固定板１５を取り付ける。フレーム１１は、Ｌ字型固定板１５を便器２後部の便座取付穴２１を介して便器２に固定する。そして、Ｌ字型固定板１５と連結部１４との取付位置は上下方向に調整可能とし、Ｌ字型固定板１５と便器２後部との取付位置は前後方向に調整可能とする。【選択図】  図２
2004313734.tif 000002
【特許請求の範囲】
【請求項１】
便器側方の床面に載置される左右一対の脚部と、各脚部に立設されて便器の後方両側に配置される左右一対の支柱と、両支柱間を水平方向に連結する連結部とからなるフレームを備え、前記各支柱には前方に延びる手摺り部が取り付けられるとともに、前記連結部にはＬ字型固定板が取り付けられて、  このＬ字型固定板が便器後部に形成された便座取付穴を介して便器に固定されることを特徴とするトイレ用手摺り。
【請求項２】
Ｌ字型固定板と連結部との取付位置は上下方向に調整可能とされるとともに、Ｌ字型固定板と便器後部との取付位置は前後方向に調整可能とされたことを特徴とする請求項１に記載のトイレ用手摺り。
【請求項３】
手摺り部と支柱との取付位置が上下方向に調整可能とされたことを特徴とする請求項１又は２に記載のトイレ用手摺り。
【請求項４】
手摺り部が便器後方に跳ね上げ可能とされたことを特徴とする請求項１から３のいずれかに記載のトイレ用手摺り。
【請求項５】
手摺り部の上面には偏平形状の肘掛け部材が着脱可能に取り付けられたことを特徴とする請求項１から４のいずれかに記載のトイレ用手摺り。
【請求項６】
肘掛け部材と手摺り部との固定位置は、前後方向及び左右方向にそれぞれ調整可能とされたことを特徴とする請求項５に記載のトイレ用手摺り。
【請求項７】
手摺り部が支柱に固定されたホルダとの摩擦抵抗を調整可能な調整スペーサを有する軸支部を介してホルダに回動自在に軸支されたことを特徴とする請求項４記載のトイレ用手摺り。
【発明の詳細な説明】
【０００１】
【発明の属する技術分野】
この発明は、トイレ使用者の腰掛け動作や立ち上がり動作の負担を軽減するトイレ用手摺りに関する。
【０００２】
【従来の技術】
トイレには、腰掛け動作や立ち上がり動作時の負担を軽減する手摺りが設けられることが好ましく、従来より、トイレ内の壁面だけでなく便器の周囲にも身体を支えることのできる肘掛けや手摺りが必要とされる。この種のトイレ用手摺りについては、特許文献１〜３のような構成が提案されている。
【０００３】
特許文献１に記載のものは、便器の両側に設けられる手摺りと、これらの手摺りを支持する前後４本の脚と、後部脚同士を連結する連結杆とからなる。連結杆には押圧棒が螺入されて、便器の下部を左右から押圧して挟持し、手摺りが固定される構成である。各手摺りは、後部脚を中心にコンパクトに折りたたんで収納することができる。
【０００４】
また、特許文献２に記載のものは、便座の後部に取付部材を幅方向に設け、この取付部材の両端が立ち上げられて手摺りが配置されている。この取付部材は、長穴状の固定穴を備え、この固定穴を介して便器にビス止めされる構成となっている。
【０００５】
また、特許文献３に記載のものは、床面に固定される一対の脚部と、前記一対の脚部を連結する梁部とを有する門型の本体フレームと、この本体フレームに取り付けられたアームレストフレームとから構成されている。本体フレームの梁部は、着脱可能な複数の部分フレームからなり、分解してコンパクトにすることができる。
【０００６】
【特許文献１】
特開平９−３１３４０７号公報（第１図）
【特許文献２】
特開２００１−３６３号公報
【特許文献３】
特開２００２−２８２１７５号公報
【０００７】
【発明が解決しようとする課題】
前記特許文献１に記載の技術は、手摺りの固定されている便器下部が曲面であるため、この手摺りに水平方向の力が加わると押圧棒が滑って、手摺り全体がずれたり、回転したりするおそれがある。また、前記特許文献２に記載の技術では、取付部材が便座の後部にビス止めされているだけであるので、荷重が床に分散されず、使用者の体重を支えるのに十分とはいえない。
【０００８】
また、前記特許文献３に記載の技術では、脚部が床面に固定されて安定するが、この脚部が床面にビス止めされる構成であるので、床面に穴が開き、傷が付くことになる。そのため、賃貸住宅等のトイレの便器には設置することができない。
【０００９】
このような問題点のほか、前記特許文献１〜３に記載の従来技術は、いずれも手摺りの搬送・搬入がしやすく、現場での施工が簡単で、施工後も掃除などの手入れが容易となることを主目的に創案されている。このため、従来の手摺りは、使用者にとって必ずしも使い勝手のよいものではなく、両側の手摺りの間隔を変えるなど、使用者に応じた寸法調整機能に乏しい。
【００１０】
本発明は以上のような事情にかんがみてなされたものであり、使用者の身体の大きさや機能上の問題に合わせて、手摺りの間隔や高さの調整を可能にして使い勝手を向上させるとともに、どのようなトイレの便器にも設置することのできる、安全性と信頼性の高いトイレ用手摺りを提供することを目的とする。
【００１１】
【課題を解決するための手段】
前記の課題を解決するため、本発明に係るトイレ用手摺りは、便器側方の床面に載置される左右一対の脚部と、各脚部に立設されて便器の後方両側に配置される左右一対の支柱と、両支柱間を水平方向に連結する連結部とからなるフレームを備え、前記各支柱には前方に延びる手摺り部が取り付けられるとともに、前記連結部にはＬ字型固定板が取り付けられて、このＬ字型固定板が便器後部に形成された便座取付穴を介して便器に固定されることを特徴とする。
【００１２】
このような特徴を有する本発明によれば、手摺り部が取り付けられたフレームが床面に立脚して支持されるとともに、便器の後部に安定的に固定される。したがって、使用者の体重が床面と便器の双方で負担されるので、使用時に手摺りがぐらついたり、ずれたりすることなく、安心して安全に使用することができる。
【００１３】
また、本発明は、前記のＬ字型固定板と連結部との取付位置が上下方向に調整可能とされるとともに、Ｌ字型固定板と便器後部との取付位置が前後方向に調整可能とされたことを特徴とする。
【００１４】
この発明によれば、手摺りが設置される便器の高さや大きさに合わせて、Ｌ字型固定板と、連結部又は便器との取付位置を調整することができるので、どのようなトイレにも手摺りを設置することができる。また、Ｌ字型固定板と便器後部との取付位置は、使用者の使い勝手のよい位置に合わせて調整してもよく、フレーム及び手摺り部の位置も前後に調整可能となる。
【００１５】
また、本発明の手摺りは、手摺り部と支柱との取付位置が上下方向に調整可能とされる。一般に、手摺り部は使用者が肘を自然に下ろして触れる程度の高さに配置されることが望ましい。そこで、本発明では、使用者それぞれの肘の高さに合わせて使いやすい位置に手摺り部を配置できるように、その取付位置を調整可能としている。
【００１６】
また、本発明の手摺りは、手摺り部が便器後方に跳ね上げ可能とされる。これにより、便器への移乗が困難な場合にも手摺り部が邪魔になることがなく、介助も容易に行うことができる。
【００１７】
加えて、手摺り部の上面には偏平形状の肘掛け部材が着脱可能に取り付けられる。これにより、肘掛け部材が不要な場合には、取り外すことができる。
【００１８】
さらに、前記肘掛け部材と手摺り部との固定位置は、前後方向及び左右方向にそれぞれ調整可能とされる。これにより、使用者の身体の大きさや機能上の問題に合わせて肘掛け部材を最適位置に付け替えることができ、より使い勝手のよいものとすることができる。
【００１９】
さらにまた、手摺り部が支柱に固定されたホルダとの摩擦抵抗を調整可能な調整スペーサを有する軸支部を介してホルダに回動自在に軸支される。これにより、手摺り部を跳ね上げた際に自由落下することなく跳ね上げた位置に保持することができるとともに、ホルダに対する手摺り部の取付作業が容易となる。
【００２０】
【発明の実施の形態】
以下、本発明に係るトイレ用手摺りの実施の形態について、図面を参照しつつ説明する。
【００２１】
図１から図４は本発明の実施の形態を示し、図１は手摺りの正面図、図２は手摺りの側面図、図３は手摺りの上面図、図４は手摺りが便器に取り付けられたところを示す側面図である。
【００２２】
図示するように、トイレ内の便器２の直近にフレーム１１が設置されて、本発明に係る手摺り１が設けられる。このフレーム１１は、便器２の側方の床面に載置される左右一対の脚部１２と、各脚部１２に立設されて便器２の後方両側に配置される左右一対の支柱１３と、両支柱１３間を水平方向に連結する連結部１４とからなる。フレーム１１は、鉄、ステンレス、アルミ等のパイプ状の鋼管により形成されている。
【００２３】
脚部１２の前後の端面には、合成樹脂製のキャップ１２１が嵌め込まれて、脚部１２が接触することによって床面等に傷が付くのを防止している。この脚部１２と支柱１３とは、溶接によって固定されている。また、各支柱１３と連結部１４とは、ボルト等を用いて固定されている。連結部１４は、ロータンク２５の前面側に配置される。
【００２４】
このようなフレーム１１の連結部１４にはＬ字型固定板１５が取り付けられる。Ｌ字型固定板１５は、垂直板部１５１と水平板部１５２とから構成され、垂直板部１５１が連結部１４に固定されるとともに、他方の水平板部１５２は便器２の後部に固定される。
【００２５】
図１に示すように、垂直板部１５１には、長孔１５１ａが２個並設されている。これらの長孔１５１ａと、連結部１４に設けられた図示しない２個の取付穴とをボルト及びナットで緊結して、Ｌ字型固定板１５が連結部１４に取り付けられている。Ｌ字型固定板１５と連結部１４との取付位置は、この垂直板部１５１の長孔１５１ａの範囲で上下方向に調整可能とされる。
【００２６】
また、図３に示すように、水平板部１５２には、便器２の後部に形成された便座取付穴２１に合致しうる３組の固定穴１５２ａが並設されている。便座取付穴２１は、通常、種々の便座及びロータンクに適応するように、便器２の後部に複数個設けられている（図４参照）。水平板部１５２は、１組の固定穴１５２ａを便器２の便座取付穴２１に位置合わせし、ボルト２２及びナット２３により緊結されて、フレーム１１を便器２に固定する。これらのボルト２２及びナット２３は、便座２４を便器２に固定するために使用されているものをそのまま適用することができる。水平板部１５２に形成された３組の固定穴１５２ａのうち、いずれの固定穴１５２ａを利用して水平板部１５２を取り付けるかにより、Ｌ字型固定板１５の便器２との取付位置は前後方向３段階に調整可能となる。
【００２７】
なお、例示の形態では、連結部１４の取付穴が、正面側から背面側に貫通して設けられているので、Ｌ字型固定板１５は連結部１４の正面側と背面側のいずれの方向から取り付けられてもよく、これによってもフレーム１１を前後方向に位置調整することができる。
【００２８】
かかるフレーム１１において、支柱１３の側面には、上下方向に４個の取付穴１３１が２５ｍｍ間隔で設けられている。そして、各支柱１３にはホルダ１７が取り付けられ、ホルダ１７に前方に延びる手摺り部１６が軸支部１９を介して回動自在に支持されている。
【００２９】
手摺り部１６を支持するホルダ１７は、支柱１３の取付穴１３１のうち、適当な位置の連続する２穴を選択して支柱１３にボルト１９４及びナット１９３により固定されている。ホルダ１７を支柱１３に固定する位置は、使用者の肘の高さに合わせて、適宜付け替えることが可能である。例示の形態では、支柱１３に４個の取付穴１３１が形成されているので、上下３段階に高さ調整をすることができ、これにより手摺り部１６と支柱１３との取付位置が調整可能とされる。これらの取付穴１３１は、支柱１３の側面に均等間隔で３個以上設けられていることで、使用者に応じた高さ調整が可能となる。
【００３０】
図５は、前記した手摺り部１６の平面視部分断面図であり、図６は、手摺り部１６の側面視部分断面図、図７は、ホルダ１７と手摺り部１６との軸支部１９を示す分解斜視図である。図示するように、手摺り部１６の端部には係止部１６１が形成され、ホルダ１７の天面にはストッパ板１７１が備えられている。このため、軸支部１９によるホルダ１７に対する手摺り部１６の回動が、中心角約９０度の範囲内に拘束されることとなる。すなわち、手摺り部１６は、係止部１６１がストッパ板１７１に当接して水平状態に支持され、矢符Ａ方向には回動可能とされて便器２の後方に跳ね上げ状態とすることが可能である。
【００３１】
ここで、ホルダ１７と手摺り部１６との軸支部１９は、図７に詳細に示すように、ホルダ１７の軸穴１７ａ及び手摺り部１６の軸穴１６ａにわたって嵌挿されたブッシュ１９１と、ホルダ１７の一方側からブッシュ１９１にワッシャ１９２を介在して嵌挿されたナット１９３と、ホルダ１７の他方側からブッシュ１９１にワッシャ１９２を介在して挿通され、ナット１９３にねじ込まれたボルト１９４と、ホルダ１７と手摺り部１６とが直接接触しないように、ブッシュ１９１に嵌挿されて、ホルダ１７の左右の内面及び手摺り部１６の左右の外面間に配置された樹脂製のスペーサー１９５と、から構成されている。
【００３２】
この場合、ブッシュ１９１の外径は、ホルダ１７の軸穴１７ａ及び手摺り部１６の軸穴１６ａの内径に設定されている。また、ホルダ１７の左右内側面間の間隔は、手摺り部１６の左右外側面間の間隔と２枚のスペーサー１９５の厚みの和よりもわずかに大きく設定されており、手摺り部１６の左右外側面にスペーサー１９５を配置してホルダ１７の左右内側面間に差し込み、それらの軸穴１７ａ，１６ａ及びスペーサー１９５の軸穴にわたってブッシュ１９１を嵌挿した際、ホルダ１７に対する手摺り部１６の摩擦抵抗によって手摺り部１６が自然落下しないように保持されるものである。
【００３３】
したがって、ブッシュ１９１を通してナット１９３に対してボルト１９４を締め付けることにより、ホルダ１７に対して手摺り部１６を回動自在に固定することができる。すなわち、手摺り部１６をホルダ１７との摩擦力に抗して水平状態から便器２の後方に向けて上方に跳ね上げた際、手摺り部１６は、跳ね上げた位置において、ホルダ１７に対する摩擦抵抗により自然落下しないように保持される。また、手摺り部１６を跳ね上げた位置からホルダ１７に対する摩擦抵抗に抗して水平位置へと回動させることができる。この際、手摺り部１６の係止部１６１がホルダ１７のストッパ板１７１に係止され、手摺り部１６は、水平状態に保持される。
【００３４】
さらに、ホルダ１７と手摺り部１６との間にスペーサー１９５が配設されていることにより、両者が直接接触することがなく、両者が直接接触することに伴う金属音の発生や磨耗するのを確実に防止することができる。
【００３５】
一方、手摺り部１６の上面に、偏平形状の肘掛け部材１８が取り付けられている。肘掛け部材１８は、適当な剛性を有する材料であって、例えば寒冷時に使用者が触れても冷たく感じない程度に熱伝導率の低い、木材やプラスチックなどによって形成されることが好ましい。また、この肘掛け部材１８の表面は、エラストマーやプラスチック発泡体、合成皮革等のクッション性を有する素材によって被覆されてもよい。
【００３６】
このような肘掛け部材１８の裏面には、ナット１８２が埋設された取付穴１８１が設けられている。肘掛け部材１８は、この取付穴１８１を介して、手摺り部１６の前方と中央の２箇所でボルト１８３により固定され、必要に応じて手摺り部１６から取り外すことができる。図５に示すように、この肘掛け部材１８には、取付穴１８１が肘掛け部材１８の中央と後方にそれぞれ６穴ずつ形成されている。これにより肘掛け部材１８は、その固定位置を前後方向に２段階、左右方向に３段階に調整することができる。
【００３７】
したがって、使用者の身体の大きさや機能上の問題に合わせて、この肘掛け部材１８を手摺り部１６の最適位置に付け替えることができる。例えば、やせている人が使用する場合には、肘掛け部材１８の最も外側の取付穴１８１同士を利用して手摺り部１６に取り付け、左右の肘掛け部材１８の間隔を狭く調整する。また、立ち座り動作が困難な人が使用する場合には、肘掛け部材１８を１段前の取付穴１８１同士を利用して手摺り部１６に取り付け、肘掛け部材１８をより前方に配置することで使用しやすくなり、動作負担を軽減することができる。
【００３８】
以上のように本発明の構成によれば、手摺り１は、脚部１２及び支柱１３によって床面に支持されるとともに、連結部１４に取り付けられたＬ字型固定板１５によって便器２の後部に強固に固定されるので、使用者の体重によっても手摺り１がずれたりぐらついたりすることなく、安定した状態で備えられる。したがって、使用者は安全に、安心して手摺り１を使用することができる。また、Ｌ字型固定板１５の固定位置が、上下方向及び前後方向に調整可能であるので、どのような便器にも手摺り１を設置することができる。そして、手摺り１は、使用者それぞれの身体的特徴に応じて、手摺り部１６の高さ等を調整できるので、すべての人にとって使いやすいものとなる。
【００３９】
ところで、ホルダ１７に対する手摺り部１６の軸支部１９としては、図８及び図９に示すように構成してもよい。
【００４０】
具体的には、軸支部１９は、ホルダ１７の軸穴１７ａ及び手摺り部１６の軸穴１６ａにわたって嵌挿されたブッシュ１９１と、ホルダ１７の一方側からブッシュ１９１にワッシャ１９２を介在して嵌挿されたナット１９３と、ホルダ１７の他方側軸穴１７ａを通してブッシュ１９１の外周面に嵌挿された樹脂製の調整スペーサー１９６と、ホルダ１７の他方側からブッシュ１９１にワッシャ１９２を介在して挿通され、ナット１９３にねじ込まれたボルト１９４と、ホルダ１７の一方側と手摺り部１６の一方側とが直接接触しないように、ブッシュ１９１に嵌挿されて、ホルダ１７の一方側内面及び手摺り部１６の一方側外面間に配置された樹脂製のスペーサー１９５と、から構成されている。
【００４１】
ここで、調整スペーサー１９６は、フランジを有するパイプ状に形成されており、そのパイプ内径は、ブッシュ１９１の外径に設定されるとともに、パイプ外径は、ホルダ１７の他方側軸穴１７ａの内径に設定されている。すなわち、ホルダ１７に形成された軸穴１７ａは、一方がブッシュ１９１の外径に対応して形成され、他方が調整スペーサー１９６のパイプ外径に対応して形成されている。
【００４２】
したがって、ナット１９３に対してボルト１９４を締め付けることにより、調整スペーサー１９６を追い込んで、調整スペーサー１９６とスペーサ１９５を介して手摺り部１６との摩擦抵抗を調整することができる。すなわち、手摺り部１６を水平状態から便器２の後方に向けて上方に跳ね上げた際、手摺り部１６が調整スペーサー１９６に対する摩擦抵抗により自然落下することなく保持されるように、摩擦抵抗を調整することができる。また、手摺り部１６を跳ね上げた位置から調整スペーサー１９６に対する摩擦抵抗に抗して水平位置へと回動させることができる。この際、手摺り部１６の係止部１６１がホルダ１７のストッパ板１７１に係止されることにより、手摺り部１６は、水平状態に保持される。
【００４３】
さらに、ホルダ１７と手摺り部１６との間にスペーサー１９５が配設されていることにより、両者が直接接触することがなく、両者が直接接触することに伴う金属音や磨耗の発生を確実に防止することができる。また、手摺り部１６に対する調整スペーサー１９６の摩擦抵抗を調整することができることから、前述した軸支部１９の実施形態に比較して、ホルダ１７の左右内側面間の間隔に対して、手摺り部１６の左右外側面間の間隔を小さく設定することができ、ホルダ１７に対する手摺り部１６の取付作業を短時間に、かつ、容易に行うことができる。
【００４４】
【発明の効果】
以上説明したように、本発明のトイレ用手摺りは、フレームの脚部と支柱によって床面に載置され、連結部に取り付けられたＬ字型固定板によって便器に固定されるので、手摺りが床面及び便器の双方に安定的に支持され、安全性及び信頼性がともに向上する。
【００４５】
また、Ｌ字型固定板は、連結部との取付位置が上下方向に調整可能であり、便器後部との取付位置が前後方向に調整可能であるので、手摺りを多様な形態の便器に設置することができる。
【００４６】
さらに、本発明の手摺りは、手摺り部と支柱との取付位置や、手摺り部と肘掛け部材との固定位置が調整可能であり、手摺り部を便器後方に跳ね上げることができるので、使用者の身体の大きさや機能上の問題に合わせてこれらを調整して、より使い勝手のよいものにすることができる。
【図面の簡単な説明】
【図１】本発明に係るトイレ用手摺りの正面図である。
【図２】本発明に係るトイレ用手摺りの側面図である。
【図３】本発明に係るトイレ用手摺りの平面図である。
【図４】本発明のトイレ用手摺りが便器に取り付けられるところを示す側面図である。
【図５】本発明のトイレ用手摺りにおける手摺り部の平面視部分断面図である。
【図６】図５の手摺り部の側面視部分断面図である。
【図７】図５のホルダと手摺り部との軸支部を説明する分解斜視図である。
【図８】ホルダと手摺り部との軸支部の他の実施形態を示す横断面図である。
【図９】図８のホルダと手摺り部との軸支部を説明する分解斜視図である。
【符号の説明】
１  手摺り
１１  フレーム
１２  脚部
１２１  キャップ
１３  支柱
１３１  取付穴
１４  連結部
１５  Ｌ字型固定板
１５１  垂直板部
１５１ａ  長孔
１５２  水平板部
１５２ａ  固定穴
１６  手摺り部
１６ａ  軸穴
１６１  係止部
１７  ホルダ
１７ａ  軸穴
１７１  ストッパ板
１８    肘掛け部材
１８１  取付穴
１８２  ナット
１９  軸支部
１９１  ブッシュ
１９３  ナット
１９４  ボルト
１９５  スペーサー
１９６  調整スペーサー
２      便器
２１    便座取付穴
２２    ボルト
２３    ナット
２４    便座
２５    ロータンク
【図１】
2004313734.tif 000003
【図２】
2004313734.tif 000004
【図３】
2004313734.tif 000005
【図４】
2004313734.tif 000006
【図５】
2004313734.tif 000007
【図６】
2004313734.tif 000008
【図７】
2004313734.tif 000009
【図８】
2004313734.tif 000010
【図９】
2004313734.tif 000011